(57)【要約】【課題】軸筒に対し蓋体を着脱し易く、且つ経時により嵌合力の低下が生じ難い構造を提供する。【解決手段】本発明は、軸筒の後端部に、軸筒の後端を露出及び閉鎖する蓋体を具備してなる筆記具であって、前記軸筒の後部の側面に、軸筒の外面から突出した基部を形成し、前記蓋体の一端部に設けた係合部を、前記基部に形成した被係合部に係合し、前記蓋体を回動自在に係合し、且つ前記蓋体の嵌合部の突部を、前記軸筒の後端部に形成した被嵌合部の突部に、着脱自在に乗り越し嵌合するとともに、前記蓋体の少なくとも一部を被覆して第２蓋体を装着してあることを特徴とする。【選択図】図７
2012000911.tif 000002
【特許請求の範囲】
【請求項１】
軸筒の後端部に、軸筒の後端を露出及び閉鎖する蓋体を具備してなる筆記具であって、前記軸筒の後部の側面に、軸筒の外面から突出した基部を形成し、前記蓋体の一端部に設けた係合部を、前記基部に形成した被係合部に係合し、前記蓋体を回動自在に係合し、且つ前記蓋体の嵌合部の突部を、前記軸筒の後端部に形成した被嵌合部の突部に、着脱自在に乗り越し嵌合するとともに、前記蓋体の少なくとも一部を被覆して第２蓋体を装着してあることを特徴とする筆記具。
【請求項２】
前記第２蓋体が、前記蓋体の嵌合部の径方向の延長線上に位置することを特徴とする請求項１に記載の筆記具。
【発明の詳細な説明】
【技術分野】
【０００１】
本発明は、軸筒の後端部に、軸筒の後端を露出及び閉鎖する蓋体を具備してなる筆記具に関する。
【背景技術】
【０００２】
軸筒の後端部に、軸筒の後端を露出及び閉鎖する蓋体を具備してなる筆記具において、特開２００７−３８６３５号公報「多芯筆記具」では、軸筒の後端に、摺動溝を後方に開口させる開口部を設け、前記開口部から、前記摺動体を、軸筒内から取り外し可能及び軸筒内に挿入可能に、蓋体を軸筒に設けたヒンジ部に、回動自在に装着した構成が開示されている。
【先行技術文献】
【特許文献】
【０００３】
【特許文献１】特開２００７−３８６３５号公報
【発明の開示】
【発明が解決しようとする課題】
【０００４】
ところで、蓋体を開閉自在に嵌合する方法には様々な方法が考えられるが、利便性等を考慮すると、乗り越し嵌合による簡易な嵌合方法とすることが最も好ましい。
【０００５】
しかし、乗り越し嵌合は、繰り返しの開閉によって、嵌合部の摩耗や寸法変化によって嵌合力が低下する恐れがあるため、初期の嵌合力を高く設定する必要があり、その結果、蓋体を開閉し難くなるという問題があった。
【０００６】
本発明の目的は、軸筒に対し蓋体を着脱し易く、且つ経時により嵌合力の低下が生じ難い構造を提供するものである。
【課題を解決するための手段】
【０００７】
上記目的を達成するために、本発明は、軸筒の後端部に、軸筒の後端を露出及び閉鎖する蓋体を具備してなる筆記具であって、前記軸筒の後部の側面に、軸筒の外面から突出した基部を形成し、前記蓋体の一端部に設けた係合部を、前記基部に形成した被係合部に係合し、前記蓋体を回動自在に係合し、且つ前記蓋体の嵌合部の突部を、前記軸筒の後端部に形成した被嵌合部の突部に、着脱自在に乗り越し嵌合するとともに、前記蓋体の少なくとも一部を被覆して第２蓋体を装着してあることを特徴とする。
【０００８】
また、前記第２蓋体が、前記蓋体の嵌合部の径方向の延長線上に位置することを特徴とする。
【０００９】
本願発明の請求項１の構成によれば、前記軸筒の後端部に、蓋体を回動自在に係合した筆記具であって、前記蓋体に設けた嵌合部の突部を、前記軸筒の後端部に形成被嵌合部の突部と着脱自在に乗り越し嵌合することで、蓋体の開閉動作が容易に行えるとともに、前記蓋体の少なくとも一部を被覆して、第２蓋体を装着しているため、前記蓋体を繰り返し開閉しても、開閉による嵌合部と被嵌合部との乗り越し嵌合に直接関係しない第２蓋体によって、前記蓋体の寸法変化が生じ難く、安定した嵌合力を得ることができる。
【００１０】
本願発明の請求項２の構成によれば、第２蓋体が、前記蓋体と軸筒の乗り越し嵌合の径方向における延長線上に位置することで、蓋体の外側への拡がりを抑制し、嵌合力の低下を効率的に抑制することができるので好ましい。前記第２蓋体は、前記蓋体の嵌合部の径方向における任意の延長線上の内、何れか一部に位置していればよい。
【００１１】
尚、本発明の蓋体には、ＰＰ樹脂、ＰＯＭ樹脂、ＰＣ樹脂、ＡＢＳ樹脂等の合成樹脂材料や、熱可塑性エラストマー、シリコーンゴム等の軟質料等を用いることができる。特に乗り越し嵌合性を鑑みて、ＰＯＭ樹脂やＰＰ樹脂等の比較的、低硬度の樹脂材料とすることが最も好ましい。また、第２蓋体は、蓋体の嵌合力の低下を抑制するために、ＡＢＳ樹脂やＰＣ樹脂、金属等、蓋体よりも高硬度の硬質の材料を用いることが最も好ましい。
【発明の効果】
【００１２】
本発明は、軸筒に対し蓋体を着脱し易く、且つ経時により嵌合力の低下が生じ難い構造を提供することができた。
【図面の簡単な説明】
【００１３】
【図１】実施例１の筆記具を示す外観図である。
【図２】図１におけるペン先部を突出した状態を示す図である。
【図３】図１における蓋体を開いた状態を示す図である。
【図４】図１における筆記体及び摺動体を取り外した状態を示す図である。
【図５】図３における筆記体及び摺動体を取り外した状態を示す図である。
【図６】図４における縦断面図である。
【図７】図６における、一部省略した要部拡大縦断面図である。
【図８】図１における筆記体を示す図である。
【図９】図７におけるＡ−Ａ断面図である。
【図１０】図７におけるＢ−Ｂ断面図である。
【図１１】蓋体及び第２蓋体、押さえピンの組立工程を示す図である。
【発明を実施するための最良の形態】
【００１４】
次に図面を参照しながら、本発明の多芯筆記具の実施形態を説明するが、本発明は以下の実施形態に限定されるものではない。
【００１５】
実施例１
図１〜図１１に示す実施例１の筆記具１は、前軸２と後軸３を連結具４を介して螺合により取り付けられる軸筒本体内に複数本（４本）の筆記体が前後方向に移動可能に収容されている。筆記体１４の後部には、筆記体１４のインキ収容筒１５に収容した筆記具用インキと同色の摺動体９を配設してあり、筆記体１４は、コイルスプリング１２により後方に付勢してあり、他の筆記体について詳細は図示していないが、筆記体１４と同様にして、３本の筆記体を配設した従来から知られている出没機構のスライド式の多芯筆記具である。
【００１６】
筆記体１４は、ボールペンレフィルであり、インキ収容筒１５の先端部にボールが回転可能に抱持されたペン先部１６を装着し、インキ収容筒１５の内部には、黒色の剪断減粘性を有する水性ゲルインキ及びインキ追従体を直に収容してある。図示はしていないが、他の３本の筆記体も筆記体１４と同様に、インキ収容筒の先端部にボールペンチップからなるペン先部を装着し、筆記体１４とは色の異なる水性ゲルインキ及びインキ追従体を直に収容したボールペンレフィルである。
【００１７】
後軸３の後部には、前後方向に延びる細長状の摺動溝３ｂ、３ｃ、３ｄ、３ｅが４本、形成してあり、互いに、９０度間隔に形成される。また、摺動溝３ｂ、３ｃ、３ｄ、３ｅは、後方が開口していて、後軸３の後端３ａで連通している。
【００１８】
後軸３内には、略円筒状のスプリング支持部８を固着している。スプリング支持部８は、筆記体１４等、４本の筆記体が挿通される内孔が軸方向に貫設し、スプリング支持部８と、各々の摺動体９、１０間には、コイルスプリング１２、１３が配置し、筆記体及び摺動体を後方に付勢してある。尚、図示はしていないが、他の２つの摺動体も摺動体９、１０と同様に、スプリング支持部８と、各々の摺動体間には、コイルスプリングが配置し、筆記体及び摺動体を後方に付勢してある。
【００１９】
後軸３の後部、且つ後軸３の摺動溝３ｂ、３ｅ間の側面には、外方に向かって突出した基部３ｈを形成してあり、この基部３ｈに形成した被係合部３ｉに、ポリプロピレンからなる蓋体５の一端部に設け、クリップ１１を正面から見て左右に延出する係合部５ｃを係合して、蓋体５を回動自在に係合してあり、蓋体５を回動することで、後軸３の後端３ａを露出することができる。
【００２０】
また、基部３ｈには、金属製のクリップ１１が付設してある。具体的には、クリップ１１の後端部１１ａを略コ字状に形成してあり、クリップ１１の後端部１１ａに形成した鋸歯状の装着部１１ｂを、後軸３に突出した基部３ｈの溝に装着してある。
【００２１】
蓋体５には、嵌合部５ａを形成してあり、蓋体５が後軸３の後端３ａを閉鎖する際、後軸３の後端部に形成した、後方に向かって突出した被嵌合部３ｆの突部３ｇに、嵌合部５ａの突部５ｂを乗り越し嵌合し、蓋体５を後軸３に対し、開閉自在に嵌合してある。
【００２２】
また、蓋体５を覆うように、蓋体５に設けた後方に向かって延びる軸部の係止部５ｄに、蓋体よりも硬く、変形し難い、ポリカードネードからなる第２蓋体６内の被係止部６ｂを係止してある。また、第２蓋体６は、蓋体５の一部、具体的には、蓋体５の嵌合部５ａの突部５ｂと後軸３の被嵌合部３ｆの突部３ｇとの乗り越し嵌合の径方向における延長線上、具体的には、係合部５ｃの軸線に対して対称側の一部を被覆している。
【００２３】
第２蓋体６には、蓋体５の後軸３からの開閉動作を容易にするため、基部３ｈに係合した係合部５ｃの軸線に対して対称側の一端部に、外方に向かって突出する取手部６ａを一体に形成してある。また、第２蓋体６が蓋体５から離脱しないように、且つ蓋体及び第２蓋体の内側への撓みを押さえるために、押さえピン７を第２蓋体内に嵌挿し、且つ蓋体５内に装着してある。
【００２４】
筆記体１４のボールペンチップからなるペン先部１６を前軸２の先端開口部２ａから突出させるには、摺動体９の操作部９ａを、摺動溝３ｂに沿って、前軸２の先端開口部２ａ方向へスライドすることにより、摺動体９に形成した係合突起９ｂが後軸３内に形成した係止部（図示せず）に係止して、筆記体１４のペン先部１６を前軸の先端開口部２ａから選択して突出を維持することができる。また、摺動体９には、解除突起９ｃを設けてある。
【００２５】
筆記体１４のペン先部１６が前軸の先端開口部２ａから突出を維持した状態で、他の摺動体１０の操作部１０ａを前軸２の先端開口部２ａ方向にスライドすることで、摺動体１０の解除突起が、スリーブ１７を介して摺動体９の係止を解除し、筆記体１４のペン先部１６を前軸２内に没入させることができる。
【００２６】
筆記体１４を交換するには、蓋体５が後軸３の後端３ａを閉鎖した状態から、第２蓋体６の操作部６ａを後方に押圧（図１の矢印Ｆ方向）し、嵌合部５ａの突部５ｂと被嵌合部３ｆの突部５ｇとの嵌合を解除し、蓋体５を後方に回動（図３の矢印Ｇ方向）させ、後軸３の後端３ａを露出させる。
【００２７】
蓋体５を回動し、後軸３の後端３ａが露出すると、摺動溝３ｂ、３ｃ、３ｄ、３ｅから各々の摺動体９、１０（その他図示せず）が、コイルスプリング１２、１３（その他図示せず）の後方付勢により後方外部に突出される。この状態から摺動体９を取り出すことにより、その摺動体９と互いに連結状態にある筆記体１４を後軸３から取り出し、その後、互いに連結状態にある新たな筆記体（図示せず）と新たな摺動体とを後端が開口した摺動溝３ｂから後軸３内に挿入する。そして、蓋体５を前方に回動させ、その後、嵌合部５ａの突部５ｂと被嵌合部３ｆの突部５ｇと嵌合して、後軸３の後端３ａを閉鎖する。これにより、筆記体及び摺動体の交換作業が終了するため、ユーザーが好みの筆記体とそれに対応した摺動体を軸筒内に交換可能に収容でき、しかも、筆記体及び摺動体を迅速且つ確実に交換することができる。
【００２８】
本実施例では、便宜上、蓋体を回動し、後軸の後端が露出して、筆記体及び摺動体を交換可能としてあるが、蓋体を回動し、後軸の後端を露出して、鉛芯を充填するなどであってもよく、蓋体を紛失することなく筆記体の交換作業や鉛芯を充填をすることができる。
【産業上の利用可能性】
【００２９】
本発明の筆記具は、多芯筆記具やインキの種類に限定されることなく、筆記具として広く実施可能である。
【符号の説明】
【００３０】
１  筆記具
２  前軸
２ａ  先端開口部
３  後軸
３ａ  後端
３ｂ、３ｃ、３ｄ、３ｅ  摺動溝
３ｆ  被嵌合部
３ｇ  突部
３ｈ  基部
３ｉ  被係合部
４  連結具
５  蓋体
５ａ  嵌合部
５ｂ  突部
５ｃ  係合部
５ｄ  係止部
６  第２蓋体
６ａ  取手部
６ｂ  被係止部
７  押さえピン
８  スプリング支持部
９、１０  摺動体
９ａ、１０ａ  操作部
１１  クリップ
１１ａ  後端部
１２、１３  コイルスプリング
１４  筆記体
１５  インキ収容筒
１６  ペン先部
１７  スリーブ
【図１】
2012000911.tif 000003
【図２】
2012000911.tif 000004
【図３】
2012000911.tif 000005
【図４】
2012000911.tif 000006
【図５】
2012000911.tif 000007
【図６】
2012000911.tif 000008
【図７】
2012000911.tif 000009
【図８】
2012000911.tif 000010
【図９】
2012000911.tif 000011
【図１０】
2012000911.tif 000012
【図１１】
2012000911.tif 000013